(57)【特許請求の範囲】
【請求項１】
伸縮率の大きなニット筒の一方を閉じてカバー（１）を形成し、該カバー（１）の他方を開口部（２）とし、該開口部（２）の周囲縁を口縁（３）とし、該カバー（１）をブラシ（４）の頭部（５）に被せた後、ブラシ（４）の正面に有する最下部の立毛（６）の毛根（７）に口縁（３）の一方を引っ掛けて支点とし、前記支点を中心にして該口縁（３）の他方をブラシ（４）の頂域（１３）へ摘まみ上げて最上部の立毛（６）の毛根（７）に引っ掛け、カバー（１）の収縮によって該口縁（３）は立毛外周（１２）に取り巻いた状態で固定され、ブラシ（４）の後頭部（８）の上部に、カバー（１）の背部領域が折り重なって重合域（９）が形成された装着状態で、立毛（６）がカバー（１）の網目から抜き出てくることを特徴とするヘアブラシ清掃カバーの装着構造。
【請求項２】
ニット筒の閉じ形状を半円形にすることで、カバー（１）をU字形回転体の袋形状にしたことを特徴とする請求項１記載のヘアブラシ清掃カバーの装着構造。
【発明の詳細な説明】
【技術分野】
【０００１】
本発明は、ヘアブラシへカバーを事前に被せておいて、ブラッシングで絡みついた毛髪やゴミの除去を、該カバーを剥がすことで行うヘアブラシ清掃カバー及び該装着構造に関する物である。
【背景技術】
【０００２】
従来のヘアブラシ清掃カバー及び該装着構造は、袋状ネットをブラシの頭部全体に被せ、ブラシの頭部と柄の境界部分である首部で該袋状ネットの開口部を紐状物で絞って縮め、前記絞込みによって外に出た紐状物をビーズ等で固定する装着構造の物であった。
【先行技術文献】
【特許文献】
【０００３】
【特許文献１】特開２００６−４３３６６号
【発明の概要】
【発明が解決しようとする課題】
【０００４】
従来の技術は、ブラシの首部で袋状カバーの開口部を縮めて固定する構造であり、該首部は細い事からカバーの開口縁を絞込みゴムなどの紐状物で絞る必要があり、紐状物で絞ればカバーの外に該紐状物が食み出すことになり、食み出した該紐状物はブラブラしているのでブラッシングの邪魔になるものであった。又、ブラシの頭部を掴んでブラッシングする場合もあり、ブラシ頭部全体をカバーで覆う従来の装着構造では、カバーがブラシとの接し面で滑るのでブラッシングしにくいという問題点もあった。本発明では、前記のような問題の解決を課題にする。
【課題を解決するための手段】
【０００５】
ブラシの頭部に袋状のカバーを頂域から被せ、該カバーの開口部の口縁をブラシの首部で縮めて固定するのではなく、該口縁の前部である一方を下部立毛の毛根に引っ掛けて支点とし、該口縁の背部である他方を背方へ引っ張りながらブラシの頂域まで摘み上げて上部立毛の毛根上で指を離し、該口縁が該立毛全てを束ねて取り巻く周囲である立毛外周を取り囲んで収縮することでカバーは装着固定され、前記口縁の他方をブラシ頂域まで摘まみ上げる過程でカバーの背部は二重に折り重なり、該折り重なり領域を重合域とし、該重合域はブラシの後頭部上部に退いてカバーは装着され、前記装着状態でカバーの正面領域を複数箇所で突くなどの加圧やブラッシングをすることで、カバーの網目から立毛が抜き出てきて、各々の立毛の毛根へカバーの網目が取り巻いて収まる。
【発明の効果】
【０００６】
ブラシの首部周囲はカバーの開口部よりも小さいので、絞って縮めるための紐状物が必要であるが、立毛外周はカバーの開口部よりも広いので、該開口部が元の大きさに戻ろうとする収縮力だけで立毛外周に固定することができるので、絞って縮める為の紐状物は不要となり、ブラシ頭部全体に被せたカバーの口縁背部をブラシの頂部まで捲り上げて固定しているので、前記捲り上げで生じた重合域はブラシの後頭部上部へ退けられており、ブラシ頭部の下部を掴むことでカバーに触れず、滑ることなくブラッシングすることができる。
【図面の簡単な説明】
【０００７】
【図１】カバー被せ状態の要部透視図でカバーが斜視図でブラシが右側面図である。（実施例１）
【図２】口縁背部摘まみ上げ過程の要部透視図でカバーが斜視図でブラシが右側面図である。
【図３】口縁背部を頂域まで摘まみ上げた要部透視図でカバーが斜視図でブラシが右側面図である。
【図４】立毛外周に口縁が取巻いて固定されて立毛の先が抜き出た状態の要部透視図でカバーが斜視図でブラシが右側面図である。
【図５】立毛外周に口縁が取巻いて固定されて立毛の先が抜き出た状態の要部透視正面斜視図である。
【図６】立毛外周に口縁が取巻いて固定されて立毛の先が抜き出た状態の要部透視背面斜視図である。
【発明を実施するための形態】
【０００８】
カバーの開口部に別具を付けることもなくブラシに装着固定でき、カバーに触れずにブラッシングできるヘアブラシ清掃カバー及び該装着構造を実現した。
【実施例１】
【０００９】
図１は、カバー被せ状態の要部透視図でカバーが斜視図でブラシが右側面図である。ブラシ４の位置関係表示は、柄１１を下にし、複数の立毛６を有する面を正面とし、該立毛６と反対側の面を後頭部８とし、前記立毛６と後頭部とを総称して頭部５とする。該頭部５の最上領域を頂域１３とし、該頂域１３は上下の位置関係を示す領域名であることからカバー１でも使用することにし、前記頭部５と柄１１との間を首部１０とする。カバー１は大きく伸縮する筒状のニットを素材にし、円形筒の一方である頂域１３を半円形状で閉じて天地逆の逆さU字の回転体形状を成している。歪みのない逆さU字回転体でカバー１を図示しているが、変形自在のニットが素材なので、実際は適宜に歪んで波打っている。カバー１の製造方法は限定ではないが、シームレスで編み込まれた細長い筒状のニットを任意の長さに切って、一方の端を半円形に縫合しても良いし手袋の指先や靴下のつま先と同じ構造で編んで閉じても良い。カバー１の大きさは限定ではなく、伸縮率の大きなニットであることからブラシ４の大きさが違っても対応することができるが、カバー１が縮んだ状態で述べるならば、幅は六cmから八cm程度で、長さは十cmから十五cmの間であることが望ましい。カバー１の大きさはブラシ４に対応することが求められ、ブラシ４の頭部５全体を覆うことのできる大きさであれば良く、カバー１の開口部２の縁である口縁３はブラシ４の首部１０の周囲に沿うまでに絞って縮める必要は全く無いが、該口縁３を何らかの構造で固定して装着することは必須で、該装着構造の発明によって、ブラッシング時にカバー１に手が触れないので、カバー１が滑るという問題を解決できる。
【００１０】
図２は、口縁背部摘まみ上げ過程の要部透視図でカバーが斜視図でブラシが右側面図である。カバー１の基本的な形状は逆さU字形で、あまり特徴のない形のように思えるが、該カバー１の装着構造自体は従来に無く、該装着構造の実現をするために、該カバー１の素材と大きさや形状も独自の物となる。ブラシ４の頭部５の正面の面には複数の立毛６を有しており、該ブラシ４へのカバー１の装着過程を図面を参照しながら説明するならば、ブラシ４の首部１０の周囲でダブついていた口縁３の背部である他方を背方へ摘まみ上げ、前記の摘まみ上げによって口縁３の前部である一方は最下部に位置する立毛６の毛根７に引っ掛り、口縁３の他方の摘まみ上げによってカバー１背部領域は二つに折り重なって行くのであり、その折り重なって行く領域を重合域９とする。
【００１１】
図３は、口縁背部を頂域まで摘まみ上げた要部透視図でカバーが斜視図でブラシが右側面図である。最下部立毛６の毛根７を支点にすることで口縁３の他方は弧を描きながら頂域１３まで摘まみ上げることができ、前記口縁３の摘まみ上げによってカバー１の背部領域は折り重なって重合域９となり、該重合域９はブラシ４の後頭部８の上部領域に退けられた状態で保持されている。
【００１２】
図４は、立毛外周に口縁が取巻いて固定されて立毛の先が抜き出た状態の要部透視図でカバーが斜視図でブラシが右側面図である。カバー１の口縁３の他方を頂域１３まで摘み上げた頂点よりも少しだけ正面に移動した位置で指を離すと、該口縁３の他方の領域は最上部の立毛６の毛根７に引っ掛り、口縁３の一方の領域は最下部の立毛６の毛根７に引っ掛かっているので、複数有している立毛６全体の毛根７周囲である立毛外周１２に口縁３は取り巻いて固定されている。前記固定状態でカバー１の正面領域を正面から複数の点で加圧すれば立毛６は先端から抜き出ることになり、カバー１は編み込まれたニットであることから、その網目が荒ければカバー１を被せただけで立毛６の先端は抜き出る場合もあり、網目が細ければ正面からの加圧も必要で、その加圧方法は複数あり、指の腹で立毛６の先を倒すように撫でても良く、別のブラシの立毛で正面から加圧しても良く、加圧をしない場合であっても、ブラッシングすることでカバー１は自然に加圧されるので立毛６の先から抜き出てくる。
【００１３】
図５は、立毛外周に口縁が取巻いて固定されて立毛の先が抜き出た状態の要部透視正面斜視図である。ブラシ４の頭部５の正面には複数の立毛６を有しており、該立毛６は平面上に分散して整列していることが望ましく、立毛６全体の毛根７を束ねて囲む外周である立毛外周１２の形状は矩形であっても良いが楕円形状を代表実例として図示しており、前記立毛外周１２に口縁３が取り巻いていることでカバー１は固定されている。図１で示すように、カバー１の基本構造はU字に閉じた袋形状であり、前記カバー１を装着固定する構造で、首部１０の周囲で縮めて装着しようとする場合は首部１０の周囲は口縁３よりも遥かに小さいので口縁３を紐状物で絞らなければ固定できないが、立毛回収１２への固定では立毛外周１２は口縁３よりも遥かに大きいので口縁３の収縮力だけでカバー１を装着固定できる。
【００１４】
先行技術ではブラシの頭部全体に袋状のカバーを被せて、該カバーの開口部に紐状物を通して、該紐状物を引き出して絞ることでブラシの首部の周囲長まで縮めて固定する構造なので紐状物は不可欠なのに対し、本発明では先行技術の紐状物は不要なので、構造的に簡略化できる。構造的な簡略化は新規性があることの証拠であり、口縁３を立毛外周１２に引っ掛けて固定することの示唆によって、カバー１及びそれの装着構造が発明の構成要件と成り得るのであり、先行技術を個人がどのように使おうが自由ではあるが、口縁３を立毛外周１２に引っ掛けて固定することの実現には、カバー１が大きく伸縮することが必須条件であり、該伸縮性を大きくするにはニットの編み込みをゴム編みにするだけでは不十分で、ニットを編む糸自体をゴムにすることで初めて大きな伸縮性が生まれるのであり、ブラシ４にカバー１を装着した状態で流通させても良い。
【００１５】
図６は、立毛外周に口縁が取巻いて固定されて立毛の先が抜き出た状態の要部透視背面斜視図である。カバー１の背部領域は上に捲り上がって折り重なって重合域９となり、該重合域９はブラシ４の後頭部８の上部領域に退く状態で位置することになり、カバー１の背部領域は重合域９となって後頭部８の上部に退いているので、該後頭部８の下部は剥き出し領域となり、前記剥き出し領域を掴めばカバー１に触れないので、滑らずにブラッシングすることができ、柄１１が短いブラシ４であっても該剥き出し領域を掴めば楽にブラッシングでき、重合域９の裾を摘み上げて正面へ反転することで最上部の立毛６へ更に重ねても良く、該重合域９が後頭部８から無くなれば、該後頭部８全体を掴んでも滑らずにブラッシングでき、重合域９が後頭部８の上部に残っている状態であっても、該重合域９にロゴやワンポイントとなる刺繍や印刷などを施しても良く、前記刺繍や印刷によって該重合域９を広告媒体として利用しても良い。
【産業上の利用可能性】
【００１６】
本発明は人間の頭髪用ヘアブラシ清掃カバーであるが、犬や猫などのペット用ブラシへの清掃カバーとして使用することもできる。
【符号の説明】
【００１７】
１    カバー
２    開口部
３    口縁
４    ブラシ
５    頭部
６    立毛
７    毛根
８    後頭部
９    重合域
１０  首部
１１  柄
１２  立毛外周
１３  頂域
【図１】
0005541817.tif 000002
【図２】
0005541817.tif 000003
【図３】
0005541817.tif 000004
【図４】
0005541817.tif 000005
【図５】
0005541817.tif 000006
【図６】
0005541817.tif 000007